【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
支持体および感光層を有する電子写真感光体において、
該感光層が、式（１）で示される化合物およびガリウムフタロシアニンを含有し、
該感光層中の、式（１）で示される化合物の含有量が、該ガリウムフタロシアニンの含有量に対して、質量比で１０ｐｐｍ以上１０００ｐｐｍ以下である
ことを特徴とする電子写真感光体。
【化１】
2014149359.tif 000001
（式（１）中、Ｒ１は、単結合、または、主鎖の炭素原子数が１〜１０の無置換もしくは置換のアルキレン基を示す。該置換のアルキレン基の置換基は、炭素原子数が１〜３のアルキル基、炭素原子数が１〜３のアミノ置換アルキル基、または、ヒドロキシ基である。また、該無置換もしくは置換のアルキレン基の主鎖中の炭素原子は、酸素原子、硫黄原子、または、−ＮＲ２−で示される２価の基（Ｒ２は、水素原子、炭素原子数が１〜３のアルキル基、または、炭素原子数が１〜３のアミノ基置換のアルキル基を示す。）で置き替えられてもよい。）
【請求項２】
前記感光層中の、前記式（１）で示される化合物の含有量が、該ガリウムフタロシアニンの含有量に対して、質量比で２０ｐｐｍ以上５００ｐｐｍ以下である請求項１に記載の電子写真感光体。
【請求項３】
支持体、電荷発生層および電荷輸送層をこの順に有する電子写真感光体において、
該電荷発生層が、式（１）で示される化合物およびガリウムフタロシアニンを含有し、
該電荷発生層中の、式（１）で示される化合物の含有量が、該ガリウムフタロシアニンの含有量に対して、質量比で１０ｐｐｍ以上１０００ｐｐｍ以下である
ことを特徴とする電子写真感光体。
【化２】
2014149359.tif 000002
（式（１）中、Ｒ１は、単結合、または、主鎖の炭素原子数が１〜１０の無置換もしくは置換のアルキレン基を示す。該置換のアルキレン基の置換基は、炭素原子数が１〜３のアルキル基、炭素原子数が１〜３のアミノ置換アルキル基、または、ヒドロキシ基である。また、該無置換もしくは置換のアルキレン基の主鎖中の炭素原子は、酸素原子、硫黄原子、または、−ＮＲ２−で示される２価の基（Ｒ２は、水素原子、炭素原子数が１〜３のアルキル基、または、炭素原子数が１〜３のアミノ基置換のアルキル基を示す。）で置き替えられてもよい。）
【請求項４】
前記電荷発生層中の、前記式（１）で示される化合物の含有量が、該ガリウムフタロシアニンの含有量に対して、質量比で２０ｐｐｍ以上５００ｐｐｍ以下である請求項３に記載の電子写真感光体。
【請求項５】
前記ガリウムフタロシアニンが、クロロガリウムフタロシアニンおよびヒドロキシガリウムフタロシアニンからなる群より選択される少なくとも１種である請求項１〜４のいずれか１項に記載の電子写真感光体。
【請求項６】
前記ガリウムフタロシアニンが、ＣｕＫα特性Ｘ線回折におけるブラッグ角２θの７．４°±０．３°および２８．３°±０．３°にピークを有する結晶形のヒドロキシガリウムフタロシアニンの結晶である請求項１〜４のいずれか１項に記載の電子写真感光体。
【請求項７】
前記式（１）で示される化合物が、式（１ａ）で示される化合物である請求項１〜６のいずれか１項に記載の電子写真感光体。
【化３】
2014149359.tif 000003
（式（１ａ）中、Ｒ３は、主鎖の炭素原子数が１〜３の無置換もしくは置換のアルキレン基を示す。該置換のアルキレン基の置換基は、炭素原子数が１もしくは２のアルキル基、または、炭素原子数が１もしくは２のアミノ置換アルキル基である。また、該無置換もしくは置換のアルキレン基の主鎖中の炭素原子は、酸素原子、硫黄原子、または、−ＮＲ４−で示される２価の基（Ｒ４は、炭素原子数が１もしくは２のアルキル基、または、炭素原子数が１もしくは２のアミノ基置換のアルキル基を示す。）で置き替えられてもよい。）
【請求項８】
請求項１〜７のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項９】
請求項１〜７のいずれか１項に記載の電子写真感光体、ならびに、帯電手段、露光手段、現像手段および転写手段を有することを特徴とする電子写真装置。
【手続補正２】
【補正対象書類名】明細書
【補正対象項目名】００１０
【補正方法】変更
【補正の内容】
【００１０】
本発明は、支持体および感光層を有する電子写真感光体において、該感光層が、式（１）で示される化合物およびガリウムフタロシアニンを含有し、該感光層中の、式（１）で示される化合物の含有量が、該ガリウムフタロシアニンの含有量に対して、質量比で１０ｐｐｍ以上１０００ｐｐｍ以下であることを特徴とする電子写真感光体である。
【手続補正３】
【補正対象書類名】明細書
【補正対象項目名】００１３
【補正方法】変更
【補正の内容】
【００１３】
また、本発明は、支持体、電荷発生層および電荷輸送層をこの順に有する電子写真感光体において、該電荷発生層が、式（１）で示される化合物およびガリウムフタロシアニンを含有し、該電荷発生層中の、式（１）で示される化合物の含有量が、該ガリウムフタロシアニンの含有量に対して、質量比で１０ｐｐｍ以上１０００ｐｐｍ以下であることを特徴とする電子写真感光体である。
【手続補正４】
【補正対象書類名】明細書
【補正対象項目名】００２３
【補正方法】変更
【補正の内容】
【００２３】
上記式（１）で示される化合物としては、例えば、１，２−ジアミノエタン（エチレンジアミン）、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン、１，１１−ジアミノウンデカン、１，１２−ジアミノドデカン、２−メチル−１，５−ジアミノペンタン、ジエチレントリアミン、トリス（２−アミノエチル）アミン、２，２’−チオビス（エチルアミン）、１，２−ジアミノプロパン、１，２−ジアミノ−２−メチルプロパン、２−メチル−１，３−プロパンジアミン、１，３−ジアミノ−２−プロパノール、２，２−ジメチル−１，３−プロパンジアミン、２，２’−オキシビス（エチルアミン）、２−メチル−１，５−ジアミノペンタン、２，２’−ジアミノ−Ｎ−メチルジエチルアミン、３，３’−ジアミノジプロピルアミン、ビス（３−アミノプロピル）エーテル、３，３’−ジアミノ−Ｎ−メチルジプロピルアミン、Ｎ，Ｎ’−ビス（３−アミノプロピル）エチレンジアミン、エチレングリコールビス（３−アミノプロピル）エーテル、トリス（３−アミノプロピル）アミン、１，４−ブタンジオールビス（３−アミノプロピル）エーテル、ビス（ヘキサメチレン）トリアミン、トリエチレンテトラミン、１，２−ビス（２−アミノエトキシ）エタン、Ｎ，Ｎ’−ビス（２−アミノエチル）−１，３−プロパンジアミン、１，１１−ジアミノ−３，６，９−トリオキサウンデカン、２−（アミノメチル）−２−メチル−１，３−プロパンジアミン、テトラエチレンペンタミンなどが挙げられる。上記式（１）で示される化合物（溶媒）は、１種のみを用いてもよいし、２種以上を併用してもよい。
【手続補正５】
【補正対象書類名】明細書
【補正対象項目名】００９９
【補正方法】変更
【補正の内容】
【００９９】
〔実施例３〕
実施例２において、電荷発生層用塗布液を以下のように調製した電荷発生層用塗布液に変更した以外は、実施例２と同様にして電子写真感光体を製造し、評価した。結果を表１に示す。
【手続補正６】
【補正対象書類名】図面
【補正対象項目名】図２
【補正方法】変更
【補正の内容】
【図２】
2014149359.tif 000004